(57)【要約】      （修正有）【課題】牛にストレスを与えない連動スタンチョンで、作業者の操作の負担を軽減することができる連動スタンチョンを提供する。【解決手段】ローパイプ１０、アッパーパイプ及びサポートパイプ１２Ｒ、１２Ｌで形成された枠体と、回動可能に軸止されたロックパイプ１４Ｒ、１４Ｌを有し、それをロックする可動プレート１７Ｒ、１７Ｌ、それを上下に操作するための水平棒３０が設置されている。水平棒３０には垂直に埋設された回転プレート１８があり、可動プレート１７Ｒ、１７Ｌがロック時に一直線状になるような長さのワイヤ１９が、埋設されている。【選択図】図１
0003164025.tif 000002
【実用新案登録請求の範囲】
【請求項１】
牛の頸部を挟む連動スタンチョンであって、
ローパイプ、アッパーパイプ及び左右一対のサポートパイプによって形成された枠体を有し、左右の当該サポートパイプは、その内側に回動可能に軸止されたロックパイプをそれぞれ有し、  左右の各前記ロックパイプの重心は、その前記ロックパイプの軸止位置よりも外側にあり、
左右の各前記ロックパイプの先端にはローラが設置されており、
前記アッパーパイプの上方には、水平棒と、可動プレート基台と、が設置されており、
前記可動プレート基台には、一対の可動プレートが上下に回動可能に軸止されており、
前記水平棒の端部には、前記水平棒を軸周りに回転可能にハンドルが設置されており、
前記水平棒には、前記水平棒と一体になって軸周りに回転可能な回転プレートが設置されており、当該回転プレートを間に介して一対の前記可動プレートの上辺部どうしがワイヤによって連結されており、
各前記可動プレートにおいて、前記可動プレートと前記ワイヤとの接続位置は、前記可動プレート基台への前記可動プレートの軸止位置と異なり、
各前記可動プレートの下辺部には、前記ローラと摺椄するローラ摺接部が形成されており、当該ローラ摺椄部の一端に、前記ローラと嵌合可能な凹部が形成されていることを特徴とする連動スタンチョン。
【請求項２】
前記ワイヤは、左右の前記ロックパイプの各前記ローラが、各前記可動プレートの前記凹部と嵌合したときに、一直線状となることを特徴とする請求項１に記載の連動スタンチョン。
【考案の詳細な説明】
【技術分野】
【０００１】
本考案は、牛の頸部を挟む連動スタンチョンに関する。
【背景技術】
【０００２】
多数の牛を飼育する農家においては、飼料を給与する際、個体毎の適正な給与等牛の管理の観点から分離給与方式を採用している農家がある。この場合、平行した２本のパイプの間に牛の頸部を挟み、閉じると長方形の「ロ」の字型になってロックされる開閉が容易な器具を取り付けたスタンチョンが用いられる。
【０００３】
そして、スタンチョンには、平行した２本のパイプの片方が可動する片開きのものがある。さらに、スタンチョンの着脱を省力化するため、ロック機構が連動するスタンチョンが使用される場合もある。
しかし、連動スタンチョンは牛の行動が最も制限されるものである。
また、連動スタンチョンに頭部及び頸部を入れたまま何らかの事故等で牛をスタンチョンから引き出す必要が生じた場合、平行する２本のパイプの片方のロックを解除し、スタンチョンを広げる構造を有するものもある（特許文献１を参照）。
【先行技術文献】
【特許文献】
【０００４】
【特許文献１】特開２００５−２２９８１１号公報
【考案の概要】
【考案が解決しようとする課題】
【０００５】
しかし、従来のスタンチョンは、開放口が狭く、牛は出入りの際頭部を傾けたりするなど、牛にとって窮屈であった。また、スタンチョンの多くは強度等の観点から金属製のパイプで作られており、スタンチョンの操作時に金属部品の衝突音が発生する。窮屈な姿勢や金属部品の衝突音は、牛にストレスを与える原因となる。
【０００６】
また、ロック機構を有するスタンチョンの場合、ロック機構の操作に必要な力が大きく、作業者は大きな負担を強いられる。
本考案は、上記各問題を解決するものであり、その目的とするところは、牛にかかるストレスを軽減可能であり、作業員の操作上の負担をも軽減可能な連動スタンチョンを提供することである。
【課題を解決するための手段】
【０００７】
本考案は、その課題を解決するために以下のような構成をとる。請求項１の考案に係る牛用の連動スタンチョンは、牛の頸部を挟む連動スタンチョンであって、ローパイプ、アッパーパイプ及び左右一対のサポートパイプによって形成された枠体を有し、左右の当該サポートパイプは、その内側に回動可能に軸止されたロックパイプをそれぞれ有し、左右の各前記ロックパイプの重心は、その前記ロックパイプの軸止位置よりも外側にあり、左右の各前記ロックパイプの先端にはローラが設置されており、前記アッパーパイプの上方には、水平棒と、可動プレート基台と、が設置されており、前記可動プレート基台には、一対の可動プレートが上下に回動可能に軸止されており、前記水平棒の端部には、前記水平棒を軸周りに回転可能にハンドルが設置されており、前記水平棒には、前記水平棒と一体になって軸周りに回転可能な回転プレートが設置されており、当該回転プレートを間に介して一対の前記可動プレートの上辺部どうしがワイヤによって連結されており、各前記可動プレートにおいて、前記可動プレートと前記ワイヤとの接続位置は、前記可動プレート基台への前記可動プレートの軸止位置と異なり、各前記可動プレートの下辺部には、前記ローラと摺椄するローラ摺接部が形成されており、当該ローラ摺椄部の一端に、前記ローラと嵌合可能な凹部が形成されている。
【０００８】
例えば、牛に飼料を給与する場合、作業者はハンドルを操作して水平棒を回す。水平棒と共に回転プレートが回転し、回転プレートがワイヤを介して可動プレートを引っ張り、可動プレートが回動し、可動プレートの凹部からロックパイプのローラが外れ、ロックパイプのロックが解除される。作業者がハンドルを操作する力は可動プレートにスムースに伝達され、小さな力で可動プレートを動かすことができる。ロックパイプの重心は軸止位置よりも外側にあるので、ロックを解除されたロックパイプは、自重により軸止位置を支点として外側に回動し、ロックパイプどうしの間に形成されている開放口の上部が最大限に開く。
【０００９】
開放口の上部が最大限に開いたら、牛は頭と頸を開放口に入れる。開放口の面積が広くなっているので、牛は開放口を視覚的に容易に認識でき、無理な姿勢をとることなく頭と頸部を楽に開放口に入れることができる。そして、作業者は、水平棒のハンドルを逆に回転操作し、可動プレートを元の位置に戻し、ロックパイプをロックできる位置にセットする。
牛が、飼料を食べるために開放口に入れた頭を下げると、左右のロックパイプが回動し、開放口の上部が狭まり、開放口の下部が開く。ロックパイプの回動に伴い、ロックパイプの先端のローラが可動プレートのローラ摺椄部に沿って摺椄しつつ凹部まで移動し、ローラと凹部とが嵌合し、ロックパイプがロックされる。ローラはローラ摺椄部に摺椄するだけので、牛にストレスを与える衝突音が発生しない。
なお、連動スタンチョンが有する可動部分をウレタンゴム等の緩衝材によって被覆等すれば、衝突音の発生がよりいっそう防止されて好ましい。
【００１０】
牛が開放口に入れた頭部及び頸部を何らかの原因によって自ら支えることができず、頭部及び頸部をさらに下げる場合が生じる。かかる場合、開放口の下部を最大に開き、その頭部をスタンチョンから引き出さなければならない。作業者は、水平棒のハンドルを操作し、可動プレートを回動させ、ロックパイプのローラと凹部との嵌合を解除し、開放口の上部の幅を狭くしてやればよい。開放口の下部が最大限に開き、牛の頭部を迅速且つ容易に引き出すことができる。また、作業員の操作上の負担が軽減される。
【００１１】
請求項２の考案に係る連動スタンチョンは、請求項１に記載の連動スタンチョンであって、左右のロックパイプの先端のローラが前記可動プレートの凹部と嵌合したときに、一直線状となる。
左右のロックパイプの各ローラが可動プレートの凹部と嵌合し、ワイヤと各ローラとが一直線状になると、ワイヤのテンションにより一対の可動プレートが固定される。可動プレートが固定されることにより、凹部からローラが外れることが防止される。
【考案の効果】
【００１２】
上記のような牛用の連動スタンチョンであるので、牛にかかるストレスが軽減され、作業員の操作上の負担も軽減される。
【図面の簡単な説明】
【００１３】
【図１】開放口上部が最大限に開放した連動スタンチョンの正面図である。
【図２】ロックパイプがロックされた連動スタンチョンの正面図である。
【図３】開放口下部が最大限に開放した連動スタンチョンの正面図である。
【考案を実施するための形態】
【００１４】
本考案の実施の形態を図１から図３を参照しつつ説明する。
図１から図３に示すように、連動スタンチョン１は、ローパイプ１０、アッパーパイプ１１及び左右一対のサポートパイプ１２Ｒ、１２Ｌによって形成された枠体と、サポートパイプ１２Ｒ、１２Ｌの中間部より内側に突き出た支持体１３Ｒ、１３Ｌによって回動可能に軸止された左右一対のロックパイプ１４Ｒ、１４Ｌを有し、２本のロックパイプ１４Ｒ、１４Ｌの上部には、アッパーパイプ１１を挟む込み左右に自由に回動可能な構造（図示せず）になっており、さらに、その先端には、それぞれローラ１６が設置されている。一対の可動プレート１７Ｒ、１７Ｌは、水平棒を挟むような厚みのある構造（図示せず）で、アッパーパイプ１１の左右の中心の上側に設置されているプレート基台２０の上部の左右に、可動可能な方法で設置されている。可動プレート１７Ｒ、１７Ｌの下辺部には、前記ローラ１６と摺椄するローラ摺接部３３が形成されており、当該ローラ摺椄部３３の一端に、前記ローラ１６と嵌合可能な凹部３４が形成されている
そして、スタンチョンの上部には、一対の可動プレート１７Ｒ、１７Ｌを上下に操作するための水平棒３０が、一対の可動プレート１７Ｒ、１７Ｌに挟まれるように（図示せず）設置されている。
【００１５】
水平棒３０は、回転可能で、その端部にハンドル３１を有し、このハンドル３１を操作することにより、水平棒３０を回転させることができる。水平棒３０の左右の中心の位置には、水平棒３０に垂直に埋設された回転プレート１８がある。その回転プレート１８には、可動プレート１７Ｒ、１７Ｌがロックパイプ１４Ｒ、１４Ｌをロックしたときに一直線状になるような長さのワイヤ１９が、埋設されている。ワイヤ１９の両端は、左右の可動プレート１７Ｒ、１７Ｌの上辺部分に連結されている。
連動スタンチョン１は、上述した構成を有している。次に、連動スタンチョンの使用方法について説明する。
【００１６】
以下の説明では、牛に飼料を給与する場合を例にとって説明する。
作業者は、牛に飼料を給与する場合、作業者はハンドル３１を反時計回り方向に回転させると水平棒３０が回転し、その水平棒３０に埋設されている回転プレート１８が回転し、そこに埋設されているワイヤ１９によって一対の可動プレート１７Ｒ、１７Ｌを跳ね上げ、２本のロックパイプ１４Ｒ、１４Ｌのロックを解除する。ロックを解除された左右のロックパイプ１４Ｒ、１４Ｌは、それぞれ軸止位置よりも外側に重心があることから、自重によりそれぞれの重心方向に傾斜し、スタンチョンの上部は牛が頭部及び頸部をスタンチョンに挿入しやすいように、最大限に開放された状態となる。左右のロックパイプがサポートパイプに衝突する箇所には、それぞれウレタンゴムがクッション材として設置されており、ロックパイプとサポートパイプの衝突音は発生しない。開放口の上部は、成牛の頭部の平均的な大きさに対応した幅で、通常５１０ｍｍ程度になるように設計している。
スタンチョンの上部の開放口が最大限に開放された状態になると、牛が開放口を認識して、頭部及び頸部を挿入する。
【００１７】
牛がスタンチョンに頭部及び頸部を差し入れた後、作業者はハンドル３１を時計回り方向に回転させ水平棒３０を回転させ、その水平棒３０に埋設されている回転プレート１８が回転し、そこに埋設されているワイヤ１９によって一対の可動プレート１７Ｒ、１７Ｌを下げ、ロックパイプ１４Ｒ、１４Ｌをロックできる位置の水平状態にセットする。この位置では、回転プレート１８を挟んで一対の可動プレート１７Ｒ、１７Ｌに埋設されているワイヤが一直線状になり、そのワイヤのテンションにより一対の可動プレート１７Ｒ、１７Ｌを固定する効果がある。
牛が、スタンチョンの広い開放口の上部に頭部及び頸部を差し入れ、飼料を食べるために頭部を下げると、ロックパイプ１４Ｒ、１４Ｌがその上部を閉めるように垂直方向にそれぞれ移動する。ロックパイプ１４Ｒ、１４Ｌの先端のローラ１６が可動プレート１７Ｒ、１７Ｌの下辺部のローラ摺椄部３３に摺椄し、その傾斜部を回転しながら可動プレート１７Ｒ、１７Ｌの凹部３４まで移動し、ロックパイプ１４Ｒ、１４Ｌの上部がそれぞれ垂直になった時ローラ１６が可動プレート１７Ｒ、１７Ｌの凹部３４に嵌合しロックされる。
また、ローラ１６の形状と可動プレート１７Ｒ、１７Ｌの凹部３４の形状とは正確に嵌合する形状であることから、ロックパイプ１４Ｒ、１４Ｌのガタつきもなく、不要な金属音を発生しない。
【００１８】
そして、牛が何らかの原因によって自らその頭部及び頸部を支えることが不可能になりサポートパイプ１２Ｒ、１２Ｌの下部に移動した場合には、その頭部をスタンチョンから引き出さなければならないが、その際にはロックパイプ１４Ｒ、１４Ｌの下部の開放口を最大にするために、ロックパイプ１４Ｒ、１４Ｌの上部の幅を狭くしなければならない。そのため、ハンドル３１を時計回り方向に回転させ水平棒３０を回動させ一対の可動プレート１７Ｒ、１７Ｌをそれぞれ上に回動し、左右のロックパイプ１４Ｒ、１４Ｌの上部の先端のローラ部分を可動プレート基台２０の湾曲箇所に移動させる。左右のロックパイプ１４Ｒ、１４Ｌが可動プレート基台２０に衝突する左右の湾曲箇所には、それぞれウレタンゴム３２がクッション材として設置されており、ロックパイプ１４Ｒ、１４Ｌの先端のローラ１６が可動プレート基台２０に移動しても衝突音は発生しない。
【００１９】
すべての給餌が終わったら、ハンドル３１を反時計回り方向に回転させ水平棒３０を回動させ一対の可動プレート１７Ｒ、１７Ｌをそれぞれ上に回動し、ロックパイプ１４Ｒ、１４Ｌのロックを解除する。
牛は開口部から頭部及び頸部を抜き出し、自由に過ごすことができる。
【産業上の利用可能性】
【００２０】
上記のような連動スタンチョンであるので、多数の牛を飼育する農家においては、適正な飼料の給与等牛の管理の観点から分離給与方式を実施するための装置として有用である。
【符号の説明】
【００２１】
１    連動スタンチョン
１０    ローパイプ
１１    アッパーパイプ
１２Ｒ、１２Ｌ    サポートパイプ
１３Ｒ、１３Ｌ    支持体
１４Ｒ、１４Ｌ    ロックパイプ
１５Ｒ、１５Ｌ    保持プレート
１６    ローラ
１７Ｒ、１７Ｌ    可動プレート
１８    回転プレート
１９    ワイヤ
２０    可動プレート基台
３０    水平棒
３１    ハンドル
３２    ウレタンゴム
３３    ローラ摺椄部
３４    凹部
【図１】
0003164025.tif 000003
【図２】
0003164025.tif 000004
【図３】
0003164025.tif 000005